(57)【要約】【課題】本発明の目的は、ＨＤＤやメモリといったディスクメディアでない記録装置を有した携帯機器において、これらＨＤＤやメモリに記録したデータをディスクメディアであるＤＶＤやＢＤに対してデータコピーやムーブ、或いはその逆方向へのデータのコピーやムーブをバッテリを用いて処理する事が可能となる情報記録再生装置の提供である。【解決手段】携帯可能な電源と、挿抜可能な記録メディア或いは内蔵された記録メディアに情報を記録する記録手段と、前記挿抜可能な記録メディアと内蔵された記録メディア間のデータのコピー或いは移動を行うダビング処理手段と、前記電源の残量を検出する検出手段とを有し、前記検出手段にて前記電源が所定値の残量を有していると判断した時に、前記記録メディア間での前記ダビング処理手段の動作を実施することを特徴とする。【選択図】  図２
2008072161.tif 000002
【特許請求の範囲】
【請求項１】
携帯可能な電源と、
挿抜可能な記録媒体及び内蔵された記録媒体に情報を記録する記録手段と、
前記挿抜可能な記録媒体と内蔵された記録媒体間のデータのコピー又は移動を行うダビング処理手段と、
前記電源の残量を検出する検出手段とを有し、
前記検出手段にて前記電源が所定の残量を有していると判断したとき、前記記録媒体間での前記ダビング処理手段の動作を許可することを特徴とする情報記録装置。
【請求項２】
携帯可能な電源と、
前記電源の残量を検出する検出手段と、
複数の記録媒体間の情報のダビング処理又はムーブ処理を行うダビング処理手段と、
前記記録媒体の記録領域に応じた前記ダビング処理手段によるダビング処理又はムーブ処理の時間と前記検出手段の結果とを表示する手段とを有することを特徴とする情報記録装置。
【請求項３】
携帯可能な第１の電源と、
外部の第２の電源と接続する外部電源端子と、
複数の記録媒体間でダビング処理又はムーブ処理を行うダビング処理手段と、
前記外部電源端子に第２の電源が供給されていることを検出する検出手段とを有し、
前記検出手段にて前記第２の電源が供給されているとき、前記記録媒体への前記ダビング処理手段の動作を許可することを特徴とする情報記録装置。
【請求項４】
携帯可能な第１の電源と、
外部の第２の電源と接続する外部電源端子と、
複数の記録媒体間でダビング処理又はムーブ処理を行うダビング処理手段と、
前記外部電源端子に第２の電源が供給されていることを検出する検出手段とを有し、
前記検出手段にて前記第２の電源が供給されていないときに、前記記録媒体への前記ダビング処理手段の動作を禁止することを特徴とする情報記録装置。
【請求項５】
携帯可能な第１の電源と、
外部の第２の電源と接続する外部電源端子と、
複数の記録媒体間でダビング処理又はムーブ処理を行うダビング処理手段と、
前記第１の電源の残量を検出する第１の検出手段と、
前記外部電源端子に第２の電源が供給されていることを検出する第２の検出手段とを有し、
前記第１および第２の検出手段にて前記第１又は第２の電源が供給可能な状態にある場合に、前記記録媒体への前記ダビング処理手段の動作を許可することを特徴とする情報記録装置。
【請求項６】
携帯可能な電源と、
複数の記録媒体間でダビング処理又はムーブ処理を行うダビング処理手段と、
前記電源の残量を検出する検出手段とを有し、
前記挿抜可能な記録媒体が書き換え不可能な記録媒体であり、且つ、前記検出手段にて前記電源が所定値の残量を有していると判断したときに前記記録媒体への前記ダビング処理手段の動作を許可することを特徴とする情報記録装置。
【請求項７】
レンズユニット手段と、
該レンズユニットを介して得られた光信号から電気信号を得る撮像手段と、
撮像手段で得られた信号を映像信号に変換する信号処理装置と、
前記映像信号をデジタル信号に変換する信号圧縮伸張装置と、
挿抜可能な記録媒体或いは内蔵された記録媒体に前記撮像手段からの画像情報を記録する信号処理装置と、
前記信号処理装置又は前記圧縮伸張装置を制御する制御マイコン装置と、
制御マイコンをユーザの操作を受けて情報を入力する操作スイッチと、
前記各装置を駆動するバッテリと、
前記充電装置に電源を供給する外部電源入力装置と、
前記映像信号の入出力を行う外部入出力装置と、
前記記録媒体のダビング処理を行うダビング処理機能とを有し、
前記ダビング処理手段によるダビング処理期間は前記操作スイッチへの操作による情報を入力しないことを特徴とする撮像装置。
【請求項８】
表示部と、
前記表示部の消費電力を切り換える切換手段と、
複数の記録媒体間でダビング処理又はムーブ処理を行うダビング処理手段とを有し、
前記ダビング処理手段によるダビング処理又はムーブ処理期間は前記切換手段により前記表示部の消費電力を低減させることを特徴とする情報記録装置。
【請求項９】
携帯可能な電源と、
複数の記録媒体間でダビング処理又はムーブ処理を行うダビング処理手段と、
前記電源の残量を検出する検出手段とを有し
前記ダビング処理手段にてダビング処理又はムーブ処理中に、前記検出手段にて前記電源が所定値の残量以下となったときに、前記記録媒体への前記ダビング処理手段の動作を停止することを特徴とする情報記録装置。
【請求項１０】
携帯可能な電源と、
複数の記録媒体間でダビング処理又はムーブ処理を行うダビング処理手段と、
前記記録手段の温度を測定する温度測定手段とを有し、
前記ダビング処理手段にてダビング処理又はムーブ処理を行う期間、前記温度測定手段にて前記記録手段が所定温度以下となったときに、前記記録媒体への前記ダビング処理手段によるダビングのデータ転送速度を高めることを特徴とする情報記録装置。
【請求項１１】
携帯可能な電源と、
複数の記録媒体間でダビング処理又はムーブ処理を行うダビング処理手段と、
前記記録手段の温度を測定する温度測定手段とを有し、
前記ダビング処理手段にてダビング処理又はムーブ処理を行う期間、前記温度測定手段にて前記記録手段が所定温度以上となったときに、前記記録媒体への前記ダビング処理手段によるダビングのデータ転送速度を低減することを特徴とする情報記録装置。
【発明の詳細な説明】
【技術分野】
【０００１】
本発明は、追記型記録ディスクや書き換え回数が制限された書換型記録ディスク等のディスク記録媒体の記録装置、特にそのダビング処理手段およびそれを用いた記録装置等に関する。
【背景技術】
【０００２】
本技術分野の背景技術として、例えば、特許文献１がある。概公報には、課題として「ＤＶＤＲやＤＶＤ−ＲＷなどのディスクのファイナライズ処理では、その記録ディスクにわずかな情報しか記録されていない場合、ＤＶＤプレーヤでの再生を考慮してその空き領域を所定のディスク位置まで記録する必要がある。この時間は数分以上必要なことがあり、携帯機器に装着されたバッテリではファイナライズ処理が完了しないという問題が生じることがある。」と記載されており、解決手段として、「携帯可能な電源と、挿抜可能な記録メディアに情報を記録する記録手段と、前記記録メディアのファイナライズ処理を行うファイナライズ処理手段と、前記電源の残量を検出する検出手段とを有し」と記載されている。
【０００３】
【特許文献１】特開２００３−１０１９２６号公報
【発明の開示】
【発明が解決しようとする課題】
【０００４】
上記従来技術は、携帯機器に複数の記録媒体を採用した場合の電源供給手段及び記録装置間のデータのコピーやムーブについては考慮されていなかった。たとえば、ＤＶＤを用いた携帯機器にＨＤＤを有した場合、ＨＤＤに記録したデータをＤＶＤに対して、或いはその逆方向へのデータのコピーやムーブ（移動）を行うことでＨＤＤに記録したデータを取り外して保管できる。
【０００５】
ただしこの時間は数分以上必要なことがあり、携帯機器に装着されたバッテリではダビング処理が完了しないという問題が生じ得る。
【０００６】
そこでかかる問題を解決し、ＨＤＤやメモリといったディスクメディアでない記録装置を有した携帯機器において、これらＨＤＤやメモリに記録したデータをＤＶＤやＢＤに対してデータコピーやムーブ、或いはその逆方向へのデータのコピーやムーブをバッテリを用いて処理することが求められる。
【０００７】
本発明の目的は、情報記録装置の機能向上である。
【課題を解決するための手段】
【０００８】
上記目的は特許請求の範囲に記載の発明により達成される。
【０００９】
具体的に例えば、携帯可能な電源と、挿抜可能な記録媒体及び内蔵された記録媒体に情報を記録する記録手段と、挿抜可能な記録媒体と内蔵された記録媒体間のデータのコピー又は移動を行うダビング処理手段と、電源の残量を検出する検出手段とを有し、検出手段にて電源が所定の残量を有していると判断したとき、記録媒体間でのダビング処理手段の動作を許可する情報記録装置を提供する。
【発明の効果】
【００１０】
本発明によれば、情報記録装置の機能向上できる。
【００１１】
上記以外の課題・手段・効果は後述する実施例によって明らかにされる。
【発明を実施するための最良の形態】
【００１２】
以下、本発明の実施に好適な実施形態の例について図面を用いて説明する。
【００１３】
図１は情報記録再生装置（情報記録装置）１００の一例としてカメラの構成例を示すブロック図である。
【００１４】
１０１はレンズ、１０２は撮像センサ（ＣＣＤ）、１０３はカメラ信号処理装置、１０４は圧縮伸張装置、１０５は信号処理装置、１０６は信号処理装置、１０７はハードディスクドライブ（ＨＤＤ）、１０８はディスクメディア（ＤＶＤ）装置、１０９は操作スイッチ、１１０は充電装置、１１１はバッテリ、１１２は外部電源入力装置、１１３は液晶ディスプレイ（ＬＣＤ）、１１４は外部出力インターフェース（Ｉ/Ｆ）、である。
【００１５】
まず、はじめに図１で示す情報記録再生装置の動作を説明する。レンズ１０１を介して被写体の画像をＣＣＤ１０２で捕らえ、ＣＣＤで捕らえた画像は電気信号に変換され、カメラ信号処理装置１０３で映像信号に変換される。
【００１６】
続いて上記映像信号は、制御マイコン１０５によって制御された信号圧縮伸張装置１０４にて、デジタル映像信号に変換される。また外部入出力端子１１４に入力を切り換えることで、外部入力映像信号をデジタル映像信号に変換する事も可能である。
【００１７】
デジタル映像信号に変換された信号は信号処理装置１０６によって上記ＤＶＤ、あるいは上記ＨＤＤといった外部ストレージに対して記録される。
【００１８】
さらに操作スイッチ１０９を操作することで上記制御マイコンを制御し、上記信号処理装置によってＤＶＤに記録された映像信号の読出しを行い、ＨＤＤに対して記録を行う事でメディア間のダビング処理を行うことが可能である。また同様にＨＤＤに記録された映像信号に対して読出しを行い、ＤＶＤに対して記録を行う事も可能である。
【００１９】
またストレージに記録された信号は、上記映像圧縮伸張装置で映像信号に伸張し、上記入出力端子に出力するとともに、液晶ディスプレイ（Liquid Crystal Display , LCD）１１３に対して表示することが可能である。ただし液晶ディスプレイには限られず例えば有機ＥＬディスプレイであってもよい。
【００２０】
さらに電源部として外部電源入力装置１１２を有し、ＡＣ電源等の外部からの電源供給を可能としている。またこの外部電源入力装置から電源が供給されることで充電装置１１０によりバッテリ１１１を充電することが可能である。これにより外部電源入力装置より電源が供給されているときは、外部電源によって機器を動作させ、外部電源が供給されていないときは、バッテリからの電源供給によって機器を動作させる事が可能である。ただし充電に必要な機能の全てが装置に内蔵されている必要は無く、外部電源入力装置の外に充電に必要な機能の一部又は全てがあるものであってもよい。
【００２１】
制御マイコン装置１０４によって、バッテリの残量の取得制御や、外部電源からの電源供給の切り替えが可能である。ただし、この機能を充電装置１１０で達成してもよい。
【００２２】
次に本発明の第一の実施例を図２を用いて説明する。本装置では、上記操作スイッチを操作して、ダビング処理を行う場合、図２に示すように、まずステップ２０１によってバッテリの残量判定を行う。ここでダビング処理に必要な十分な残量があると判定した場合には、ステップ２０２にてダビング処理を実行するが、ダビング処理を実行するに残量が不十分と判定されたらステップ２０３のように外部電源接続を促す指示を表示する。
【００２３】
なお、ダビング処理（データのコピー）について説明するが、ムーブ処理（データの移動）であっても同様である。
【００２４】
上記残量判定は、たとえば通常バッテリ端子を用いる。すなわちバッテリ残量がなくなってくると徐々に電圧が低下してくるので、この値を利用して残量を判定する。もちろん他の方法で判定しても構わない。
【００２５】
また、図３に示すように、ダビング処理を行う際、バッテリ残量とダビング処理時間をＬＣＤに表示し、ユーザに十分なバッテリ残量があるかの判断が出来るようにする。またダビング時間はダビング中も表示することでダビング完了までの残り時間を表示することも可能である。
【００２６】
また、バッテリ残量は定量的に表記するほかに、グラフといった図式によってあらわすことも可能である。
【００２７】
次に本発明の第二の実施例を図４を用いて説明する。第一の実施例と同様に上記操作スイッチを操作して、ダビング処理を行う際、図４のように、まずステップ４０１で外部電源が接続されているかの有無を判定する。ここで外部電源が接続されていた場合には、ステップ４０２にてダビング処理を実行するが、外部電源が接続されていない場合にはステップ４０３のように外部電源接続を促す指示を表示する。
【００２８】
次に本発明の第三の実施例を図５を用いて説明する。第一の実施例と同様に上記操作スイッチを操作して、ダビング処理を行う際、図５のようにまずステップ５０１によってバッテリの残量判定及び、外部電源が接続されているかの有無の判定を行う。ここで、バッテリ及び外部電源がある場合には、ステップ５０２にてダビング処理を実行するが、バッテリ及び外部電源が接続されていない場合にはステップ５０３のようにバッテリ及び外部電源接続を促す指示を表示する。
【００２９】
本実施例によると、バッテリ及び外部電源の両方からの電源供給がないとダビング処理を実施しないことで、一方の電源が電源供給不能になった場合であっても安全にダビングを継続することが可能になる。
【００３０】
次に本発明の第四の実施例を図６を用いて説明する。第一の実施例と同様に上記操作スイッチを操作して、ダビング処理を行う際、図６のようにまずステップ６０１によってダビング先に設定されているメディアがＤＶＤ−ＲＷ、ＤＶＤ＋ＲＷ、ＤＶＤ−ＲＡＭといった書き換え可能なメディアであるかの判定を行う。ここで書き換え可能なメディアである場合には、ステップ６０２にてダビング処理を実行するが、書き換え可能なメディアでない場合にはステップ６０３のように書き換え可能なメディアに交換し挿入する事を促す指示を表示する。
【００３１】
本実施例によると、万が一、ダビング処理動作中にバッテリの残量不足当が発生したためにダビングが途中で失敗してしまった場合においても、書き換え可能なメディアを用いてダビング処理を行っているために再度ダビングを実行することが可能である。
【００３２】
次に本発明の第五の実施例を図７を用いて説明する。第一の実施例と同様に上記操作スイッチを操作して、ダビング処理を行う際、図７のようにまずステップ７０１によってダビング先に設定されているメディアがＤＶＤ−ＲＷ、ＤＶＤ＋ＲＷ、ＤＶＤ−ＲＡＭといった書き換え可能なメディアであるかの判定を行う。ここで書き換え可能なメディアでない場合には、ステップ７０２にてバッテリの残量判定を行う。ここでダビング処理に必要な十分な残量があると判定した場合には、ステップ７０３にてダビング処理を実行するが、ダビング処理を実行するに残量が不十分と判定されたらステップ２０３のように外部電源接続を促す指示を表示する。
【００３３】
また、書き換え可能なメディアであった場合にはステップ７０３にてダビング処理を実行する。
【００３４】
本実施例によると、ＤＶＤ−Ｒのような書き換えが一度しか出来ないメディアの場合、ダビング処理動作中にバッテリの残量不足等によりダビング失敗という状況が発生しないことを確認したうえで、ダビング処理を実行することで書き換え不可能なメディアであっても安全にダビング処理を実行することが可能となる。
【００３５】
次に本発明の第六の実施例を図８を用いて説明する。第一の実施例と同様に上記操作スイッチを操作して、ダビング処理を行う際、図８のようにまずステップ８０１によってダビング元とダビング先のＤＶＤ等のドライブ及び、ＨＤＤ等の記録メディアの温度判定を行う。ここでダビング開始前のこれらデバイスの温度より、ダビング処理中のデバイスの温度上昇が規定温度以下に抑えられるかを判定し、規定範囲以下あればダビング時のデータ転送レートを高く設定しダビング処理を行う。また判定結果は規定範囲以上であれば、ダビング時のデータ転送レートを低く設定しダビング処理を行う。
【００３６】
以上、複数の実施例を説明したが、それらを任意に組合せて実施できる。
【００３７】
また、ＤＶＤを例に挙げて説明したがＢＤやＨＤ−ＤＶＤなどの他の光ディスクであってもよく、またＨＤＤと光ディスク以外の記録媒体の組み合わせ、例えばＨＤＤと半導体メモリや内蔵半導体メモリとリムーバブル半導体メモリの組み合わせであってもよい。ただし、特にＨＤＤと光ディスクとの組み合わせでは消費電力が大きいため本実施例が有効と考えられる。
【図面の簡単な説明】
【００３８】
【図１】情報記録再生装置の構成例を示すブロック図である。
【図２】第一の実施例の処理例を示すフローチャートである。
【図３】情報記録再生装置のＬＣＤの表示例を示す図ある。
【図４】第二の実施例の処理例を示すフローチャートである。
【図５】第三の実施例の処理例を示すフローチャートである。
【図６】第四の実施例の処理例を示すフローチャートである。
【図７】第五の実施例の処理例を示すフローチャートである。
【図８】第六の実施例の処理例を示すフローチャートである。
【符号の説明】
【００３９】
１００：情報記録再生装置
【図１】
2008072161.tif 000003
【図２】
2008072161.tif 000004
【図３】
2008072161.tif 000005
【図４】
2008072161.tif 000006
【図５】
2008072161.tif 000007
【図６】
2008072161.tif 000008
【図７】
2008072161.tif 000009
【図８】
2008072161.tif 000010